(57)【要約】【課題】  異なるテナントにより使用される複数の空調機が設置された建物内の、所望のテナントに関する短時間ごとの消費電力量の按分計算を確実に実行することが可能な空調管理システム、およびこれに利用する空調管理サーバ、空調管理情報処理方法を提供する。【解決手段】  実施形態によれば空調管理サーバは、消費電力量按分演算部と指定期間情報取得部とを備える。消費電力量按分演算部は、消費電力量の第１期間の積分値を空調機毎に按分するための演算を行う。指定期間情報取得部は、クライアント端末のいずれかから第１期間よりも短い第２期間を指定した情報取得要求を受信すると、全空調機の要求能力値の積分値および当該クライアント端末に対応するテナントに設置された空調機に関する要求能力値の当該第２期間の積分値と、消費電力量の当該第２期間の積分値とを要求送信元のクライアント端末に送信する。【選択図】図２
2015227755.tif 000002
【特許請求の範囲】
【請求項１】
複数のテナントが入居する建物内の複数の空調機を管理する空調管理サーバと、前記テナントごとに設置されたクライアント端末とが接続された空調管理システムにおいて、
前記空調管理サーバは、
前記建物内の複数の空調機から送信された、所定時間ごとの要求能力値を取得する要求能力値取得部と、
前記建物内の全空調機による所定時間間隔ごとの消費電力量を取得する消費電力量取得部と、
前記要求能力値取得部で取得された各空調機の第１期間の要求能力値に基づいて、前記消費電力量取得部で取得された消費電力量の前記第１期間の積分値を、前記空調機毎に按分するための演算を行う消費電力量按分演算部と、
前記クライアント端末のいずれかから、前記第１期間よりも短い第２期間を指定した情報取得要求を受信すると、前記要求能力値取得部で取得された全空調機の要求能力値の当該第２期間の積分値および前記情報取得要求の送信元のクライアント端末に対応するテナントに設置された空調機に関する要求能力値の当該第２期間の積分値と、前記消費電力量取得部で取得された消費電力量の当該第２期間の積分値とを、前記要求送信元のクライアント端末に送信する指定期間情報取得部と、
を備え、
各前記クライアント端末は、
指定された前記第２期間に関する情報取得要求を生成して前記空調管理サーバに送信する情報取得要求送信部と、
前記情報取得要求送信部から情報取得要求を送信したことに応答して前記空調管理サーバから送信された、前記要求能力値取得部で取得された全空調機の当該第２期間の要求能力値の積分値および前記情報取得要求の送信元のクライアント端末に対応するテナントに設置された空調機に関する要求能力値の当該第２期間の積分値と、前記消費電力量取得部で取得された消費電力量の当該第２期間の積分値とを受信する指定期間情報受信部と、
前記指定期間情報受信部で受信された情報に基づいて、自クライアント端末に対応するテナントに設置された空調機に関する、前記第２期間の消費電力量を算出する消費電力量算出部と
を備えることを特徴とする空調管理システム。
【請求項２】
建物内に入居する複数のテナントごとに設置されたクライアント端末に接続され、前記建物内の複数の空調機を管理する空調管理サーバにおいて、
前記建物内の複数の空調機から送信された、所定時間ごとの要求能力値を取得する要求能力値取得部と、
前記建物内の全空調機による所定時間間隔ごとの消費電力量を取得する消費電力量取得部と、
前記要求能力値取得部で取得された各空調機の第１期間の要求能力値に基づいて、前記消費電力量取得部で取得された消費電力量の前記第１期間の積分値を、前記空調機毎に按分するための演算を行う消費電力量按分演算部と、
前記クライアント端末のいずれかから、前記第１期間よりも短い第２期間を指定した情報取得要求を受信すると、前記要求能力値取得部で取得された全空調機の要求能力値の当該第２期間の積分値および前記情報取得要求の送信元のクライアント端末に対応するテナントに設置された空調機に関する要求能力値の当該第２期間の積分値と、前記消費電力量取得部で取得された消費電力量の当該第２期間の積分値とを、該当する空調機に関する前記第２期間の消費電力量を算出させるために前記要求送信元のクライアント端末に送信する指定期間情報取得部と
を備えることを特徴とする空調管理サーバ。
【請求項３】
建物内に入居する複数のテナントごとに設置されたクライアント端末に接続され、前記建物内の複数の空調機を管理する空調管理サーバが、
前記建物内の複数の空調機から送信された、所定時間ごとの要求能力値を取得する要求能力値取得ステップと、
前記建物内の全空調機による所定時間間隔ごとの消費電力量を取得する消費電力量取得ステップと、
前記要求能力値取得ステップで取得された各空調機の第１期間の要求能力値に基づいて、前記消費電力量取得ステップで取得された消費電力量の前記第１期間の積分値を、前記空調機毎に按分するための演算を行う消費電力量按分演算ステップと、
前記クライアント端末のいずれかから、前記第１期間よりも短い第２期間を指定した情報取得要求を受信すると、前記要求能力値取得ステップで取得された全空調機の要求能力値の当該第２期間の積分値および前記情報取得要求の送信元のクライアント端末に対応するテナントに設置された空調機に関する要求能力値の当該第２期間の積分値と、前記消費電力量取得ステップで取得された消費電力量の当該第２期間の積分値とを、該当する空調機に関する前記第２期間の消費電力量を算出させるために前記要求送信元のクライアント端末に送信する指定期間情報取得ステップと
を有することを特徴とする空調管理情報処理方法。
【発明の詳細な説明】
【技術分野】
【０００１】
本発明の実施形態は、空調管理システム、およびこれに利用する空調管理サーバ、空調管理情報処理方法に関する。
【背景技術】
【０００２】
従来、複数のテナントが入居する大型の建物においては、１台の室外機に複数の室内機を接続して冷凍サイクルを構成した、マルチタイプの空調システムが搭載されている。このような空調システムでは、異なるテナントの室内機が、同じ室外機に接続されている場合がある。
【０００３】
一方で建物内の電力量計は、建物内の全室外機による消費電力量を計測している。
【０００４】
建物内の機器を管理する中央管理サーバでは、テナントごとの空調機での使用電気料金の目安とするために、各テナントにおける空調機の使用量を算出する必要がある。近年の空調機ではインバータによる圧縮機の可変速制御や上述のマルチタイプの空調システムのようなテナントと空調機が１：１で対応していないことから、各テナントにおける空調機の使用量の目安として、計測された全室外機による消費電力量を、テナントに設けられた室内機の運転状態（空調能力等）に基づき、消費電力量に按分する計算を行っている。
【０００５】
このような消費電力量の按分を行うことにより、室内機や室外機に個別の電力量計を設置しなくても、空調機の使用に応じたテナントごとの電気料金を提示することが可能になる。
【先行技術文献】
【特許文献】
【０００６】
【特許文献１】特開２０１１−４７５６４号公報
【発明の概要】
【発明が解決しようとする課題】
【０００７】
上述したような消費電力量の按分による電気料金の算出処理は、従来月単位のバッチ処理により実行されている。
【０００８】
しかし、算出されたテナントごとの消費電力量や電気料金は、料金請求のために用いるだけではなく、短時間（例えば１時間）ごとの変動をリアルタイムで可視化することにより、ユーザの省エネ意識を高めることが可能になる。
【０００９】
そこでバッチ処理の頻度を高め、テナント毎に短時間ごとの消費電力量や電気料金を算出することが望まれるが、中央管理サーバにおける演算負荷が増大し、従来のシステムでは処理しきれない場合があるという問題があった。
【００１０】
本発明は上記事情に鑑みてなされたものであり、異なるテナントにより使用される複数の空調機が設置された建物内の、所望のテナントに関する短時間ごとの消費電力量の按分計算を確実に実行することが可能な空調管理システム、およびこれに利用する空調管理サーバ、空調管理情報処理方法を提供することを目的とする。
【課題を解決するための手段】
【００１１】
上記目的を達成するための実施形態によれば空調管理サーバは、消費電力量按分演算部と指定期間情報取得部とを備える。消費電力量按分演算部は、消費電力量の第１期間の積分値を空調機毎に按分するための演算を行う。指定期間情報取得部は、クライアント端末のいずれかから第１期間よりも短い第２期間を指定した情報取得要求を受信すると、全空調機の要求能力値の積分値および当該クライアント端末に対応するテナントに設置された空調機に関する要求能力値の当該第２期間の積分値と、消費電力量の当該第２期間の積分値とを要求送信元のクライアント端末に送信する。
【図面の簡単な説明】
【００１２】
【図１】本発明の一実施形態による空調管理システムを示す全体図である。
【図２】本発明の一実施形態による空調管理システムで利用する空調管理サーバの構成を示すブロック図である。
【図３】本発明の一実施形態による空調管理システムで利用するクライアント端末の校正を示すブロック図である。
【図４】本発明の一実施形態による空調管理システムの動作を示すシーケンス図ある。
【発明を実施するための形態】
【００１３】
〈一実施形態による空調管理システムの構成〉
本発明の一実施形態による空調管理システムの構成について、図１を参照して説明する。
【００１４】
本実施形態による空調管理システム１は、複数のテナントが入居する建物内の複数の電力系統（第１系統１０、第２系統２０、および第３系統３０）と、電力量計４０と、各電力系統に第１ネットワーク５０を介して接続されるとともに、電力量計４０に接続された空調管理サーバ６０と、空調管理サーバ６０に第２ネットワーク７０を介して接続された複数のクライアント端末８０−１、８０−２、および８０−３とを備える。クライアント端末８０−１、８０−２、および８０−３は、当該建物内のテナントごとに設置されている。クライアント端末８０−１、８０−２、および８０−３は、空調管理用のプログラムがインストールされたパーソナルコンピュータである。
【００１５】
第１系統１０内には、第１ネットワーク５０に接続された室外機１１と、室外機１１に第３ネットワーク１２を介して接続された室内機１３−１、１３−２、１３−３、および１３−４とが設置されている。第２系統２０内には、第１ネットワーク５０に接続された室外機２１と、室外機２１に第４ネットワーク２２を介して接続された室内機２３−１、２３−２、２３−３、および２３−４とが設置されている。第３系統３０内には、第１ネットワーク５０に接続された室外機３１と、室外機３１に第５ネットワーク３２を介して接続された室内機３３−１、３３−２、３３−３、および３３−４とが設置されている。
【００１６】
各室内機１３−１〜１３−３、２３−１〜２３−３、および３３−１〜３３−３は、ユーザの操作により指定された設定温度や測定された室内温度等に基づいて空調を行うための要求能力値を所定時間間隔で算出し、接続された室外機１１、２１、３１に送信する。ここで「要求能力値」とは、単位時間当たりに室内から取り除く、あるいは室内に加える熱エネルギー量で示される。
【００１７】
室外機１１、２１、および３１は、送信された要求能力値に応じた量の冷媒を各室内機に供給する。この結果、各室内機では、要求能力値に応じた空調出力を得ることができる。また室外機１１、２１、３１は、各室内機から取得した要求能力値を、空調管理サーバ６０に送信する。
【００１８】
電力量計４０は、全室外機１１、２１、および３１に供給された総電力量（消費電力量）を、所定時間間隔で計測し、空調管理サーバ６０に送信する。
【００１９】
空調管理サーバ６０は、図２に示すように、要求能力値取得部６１と、要求能力値記憶部６２と、消費電力量取得部６３と、消費電力量記憶部６４と、消費電力量按分演算部６５と、指定期間情報取得部６６とを有する。
【００２０】
要求能力値取得部６１は、室外機１１、２１および３１で各室内機から受信された所定時間ごとの要求能力値を取得する。
【００２１】
なお、空調システムの設定においては、各室内機１３−１〜１３−３、２３−１〜２３−３、３３−１〜３３−３から各々が接続されている室外機１１、２１および３１に出力される能力の要求が、その室内機の定格能力に対する相対値、例えば定格能力の２０％等となっている場合がある。この場合には、予め各室内機の定格能力データ、例えば定格能力：２．８ｋW等を、初期設定時に室外機１１、２１、３１から空調管理サーバ６０に送信しておく。そして、要求能力値取得部６１にて、取得した各室内機の定格能力データとその室内機の能力の要求値とを掛け合わせる（２．８kW×２０％＝０．５６ｋW）ことで要求能力値を算出するようにしてもよい。
【００２２】
要求能力値記憶部６２は、要求能力値取得部６１で取得された各室内機の要求能力値を記憶する。
【００２３】
消費電力量取得部６３は、電力量計４０で計測された所定時間間隔ごとの全室外機の消費電力量を取得する。
【００２４】
消費電力量記憶部６４は、消費電力量取得部６３で取得された消費電力量を記憶する。
【００２５】
空調管理サーバ６０は、図示しない時計を備えており、要求能力値記憶部６２および消費電力量記憶部６４の各々で記憶される各室内機の要求能力値および消費電力量は、そのデータを収集した時刻と関係付けて記憶される。
【００２６】
消費電力量按分演算部６５は、消費電力量記憶部６４に記憶された全室外機の消費電力量の第１期間（例えば１ヶ月）分の積分値を、要求能力値記憶部６２に記憶された各室内機の要求能力値の第1期間の積分値に基づいて、室内機毎に按分するための演算を行う。
【００２７】
指定期間情報取得部６６は、クライアント端末８０−１〜８０−３のいずれかから、指定された第２期間（第１期間よりも短い期間であり、例えば最新の１時間）の情報取得要求を受信すると、当該要求に応答して、全室内機の要求能力値の当該第２期間の積分値および情報取得要求の送信元のクライアント端末に対応するテナントに設置された室内機に関する要求能力値の当該第２期間の積分値を要求能力値記憶部６２から取得するとともに、全室外機の消費電力量の当該第２期間の積分値を消費電力量記憶部６４から取得し、要求送信元のクライアント端末に送信する。
【００２８】
クライアント端末８０−１〜８０−３は当該建物内のテナントごとに設置され、図３に示すように、入力部８１と、情報取得要求生成部８２と、指定期間情報受信部８３と、消費電力量算出部８４と、表示部８５とを有する。
【００２９】
本実施形態において、クライアント端末８０−１はテナントＡに対応しており、テナントＡ内には室内機１３−１〜１３−４および２３−１が設置されている。また、クライアント端末８０−２はテナントＢに対応しており、テナントＢ内には室内機２３−２〜２３−４が設置されている。また、クライアント端末８０−３はテナントＣに対応しており、テナントＣ内には室内機３３−１〜３３−４が設置されている。
【００３０】
各クライアント端末８０−１〜８０−３の入力部８１は、ユーザの操作により指定された第２期間を特定する情報を入力する。
【００３１】
情報取得要求生成部８２は、入力部８１から入力された第２期間に関する情報取得要求を生成し、空調管理サーバ６０に送信する。
【００３２】
空調管理サーバ６０は、情報取得要求信号を受信すると、要求能力値記憶部６２および消費電力量記憶部６４の各々でデータ収集時刻と関連付けて記憶している各室内機の要求能力値および消費電力量のデータから、情報取得要求のあった第２の期間のデータを見出し、全室内機の要求能力値の当該第２期間の積分値、要求のあったクライアント端末が管理するテナント内に設置された室内機に関する要求能力値の当該第２期間の積分値、および全室外機の消費電力量の当該第２期間の積分値を算出する。
【００３３】
そして、空調管理サーバ６０は、算出したこれらのデータを要求のあったクライアント端末へと送信する。
【００３４】
指定期間情報受信部８３は、情報取得要求生成部８２から第２期間の情報取得要求を送信したことに応答して空調管理サーバ６０から送信された、全室内機の要求能力値の当該第２期間の積分値、自クライアント端末に対応するテナント内に設置された室内機に関する要求能力値の当該第２期間の積分値、および全室外機の消費電力量の当該第２期間の積分値、を受信する。
【００３５】
消費電力量算出部８４は、指定期間情報受信部８３で受信された、消費電力量の当該第２期間の積分値、全室内機の要求能力値の当該第２期間の積分値、および該当する室内機の要求能力値の当該第２期間の積分値に基づいて、自クライアント端末に対応するテナントに設置された室内機に関する当該第２期間の消費電力量を算出する。
【００３６】
表示部８５は、消費電力量算出部８４で算出された消費電力量を、当該テナントにおける第２期間の消費電力量として表示する。
〈一実施形態による空調管理システムの動作〉
次に、本実施形態による空調管理システム１の動作について、図４のシーケンス図を参照して説明する。
【００３７】
本実施形態において各室内機１３−１〜１３−４、２３−１〜２３−４、および３３−１〜３３−４では、ユーザの操作等により指定された設定温度や測定された室内温度値等に基づいて、空調を行うための要求能力値が所定時間間隔で算出され、接続された室外機に送信される（Ｓ１）。具体的には、室内機１３−１〜１３−４で算出された要求能力値は第３ネットワーク１２を介して室外機１１に送信され、室内機２３−１〜２３−４で算出された要求能力値はネットワーク第４ネットワーク２２を介して室外機２１に送信され、室内機３３−１〜３３−４で算出された要求能力値は第５ネットワーク３２を介して室外機３１に送信される。
【００３８】
要求能力値を取得した各室外機１１、２１、３１により、送信された要求能力値に応じた量の冷媒が各室内機に供給される（Ｓ２）。
【００３９】
また、各室外機１１、２１、３１で取得された各室内機の要求能力値は、第１ネットワーク５０を介して空調管理サーバ６０に送信される（Ｓ３）。
【００４０】
空調管理サーバ６０では、室外機１１、２１、３１から送信された各室内機の要求能力値が要求能力値取得部６１から取得され、要求能力値記憶部６２に記憶される（Ｓ４）。要求能力記憶部６２には、所定時間ごとの各室内機の要求能力値の積分値も算出されて記憶される。
【００４１】
また空調管理システム１内の電力量計４０では、全室外機１１、２１、および３１に供給された総電力量（消費電力量）が所定時間間隔で計測され、第１ネットワーク５０を介して空調管理サーバ６０に送信される（Ｓ５）。
【００４２】
空調管理サーバ６０では、電力量計４０から送信された全室外機の消費電力量が消費電力量取得部６３から取得され、消費電力量記憶部６４に記憶される（Ｓ６）。消費電力量記憶部６４には、所定時間ごとの全室外機の消費電力量の積分値も算出されて記憶される。
【００４３】
次に空調管理サーバ６０の消費電力量按分演算部６５において、通常処理として、消費電力量記憶部６４に記憶された全室外機の消費電力量の第１期間（例えば１ヶ月）の積分値を、要求能力値記憶部６２に記憶された各室内機の要求能力値の第１期間の積分値に基づいて、室内機毎に按分するための演算が当該第１期間経過ごとにバッチ処理として行われる（Ｓ７）。
【００４４】
例えば、第２系統２０の３番目の室内機２３−３の１ヶ月の消費電力量の按分値ＰＭ2,3は、全室外機１１、２１、および３１の消費電力量の１ヶ月の積分値ＰＭと、当該室内機２３−３の要求能力値の１ヶ月の積分値ＷＭ2,3と、個々の室内機の要求能力値の１ヶ月の積分値ＷＭi,jの総和を用いて、下記式（１）により算出される。
【００４５】
【数１】
2015227755.tif 000003
【００４６】
上記式（１）により、全ての室内機についてそれぞれ１ヶ月の消費電力量の按分値が算出される。
【００４７】
算出された室内機毎の消費電力量は、テナントごとの電力料金請求処理等に用いられる。例えば、テナントＡの１ヶ月の消費電力量は、室内機１３−１〜１３−４および２３−１の按分値の和により算出され、テナントＢの１ヶ月の消費電力量は、室内機２３−２〜２３−４の按分値の和により算出され、テナントＣの１ヶ月の消費電力量は、室内機３３−１〜３３−４の按分値の和により算出される。
【００４８】
以上のバッチ処理による１か月分の消費電力量の算出は、空調管理サーバ６０に対して予め決められた特定の時期、例えば、毎月２５日等、に行われるため、この処理日では、空調管理サーバ６０の処理負荷が大きくなるが、この時以外は、データの取得と要求能力値と消費電力量の積算処理を行うだけであり、処理負荷はそれほど大きくない。
【００４９】
なお、空調管理サーバ６０では、逐次、要求能力値記憶部６２において、各室内機の要求能力値の積分値を算出して記憶し、消費電力量記憶部６４では、全室外機の消費電力量の積分値を算出して記憶するようにしているが、通常時は所定時間ごとの各室内機の要求能力値と全室外機の消費電力量を取得時刻と関連付けて記憶しておき、バッチ処理の際に、第１期間におけるそれぞれの積分値を算出するようにしてもよい。
【００５０】
一方、クライアント端末のいずれかで、ユーザの操作により、第１期間よりも短い第２期間ごとの消費電力量の変動の情報を出力させて可視化するための操作が行われたときの動作について説明する。ここでは、クライアント端末８０−１において当該操作が行われたものとする。
【００５１】
クライアント端末８０−１において、ユーザの操作により入力部８１で第２期間として「最新の１時間」が指定されるとともに当該期間の消費電力量情報の要求操作が行われると、情報取得要求生成部８２において自クライアント端末８０−１に対応するテナントＡに設置された室内機１３−１〜１３−４および２３−１に関する第２期間の情報取得要求が生成される。生成された第２期間の情報取得要求は、情報取得要求生成部８２から空調管理サーバ６０に送信される（Ｓ８）。
【００５２】
空調管理サーバ６０では、クライアント端末８０−１から送信された第２期間の情報取得要求が指定期間情報取得部６６で取得される。指定期間情報取得部６６では、取得した要求に応答して、全室外機１１、２１、３１の消費電力量の第２期間の積分値が消費電力量記憶部６４から取得されるとともに、全室内機の要求能力値の当該第２期間の積分値、および要求送信元のクライアント端末８０−１に対応するテナントＡに設置された、各室内機１３−１〜１３−４および２３−１に関する要求能力値の第２期間の積分値が要求能力値記憶部６２から取得される。取得された消費電力量、全室内機の要求能力値の積分値、および該当する室内機１３−１〜１３−４および２３−１の要求能力値の積分値は、指定期間情報取得部６６から、要求送信元のクライアント端末８０−１に送信される（Ｓ９）。
【００５３】
クライアント端末８０−１では、空調管理サーバ６０から送信された情報が指定期間情報受信部８３で受信される。
【００５４】
指定期間情報受信部８３で受信された情報は消費電力量算出部８４に送出され、該当する室内機１３−１〜１３−４および２３−１に関する第２期間の消費電力量が算出される。
【００５５】
例えば、室内機１３−１に関する第２期間の消費電力量は、下記式（２）により算出される。
【００５６】
[数２]
[室内機１３−１の第２期間の消費電力量]＝[第２期間の全室外機の消費電力量の積分値]
×[第２期間の室内機１３−１の要求能力値の積分値] 
／[第２期間の全室内機の要求能力値の積分値]
（２）
【００５７】
同様にして、室内機１３−２、１３−３、１３−４、および２３−１についても第２期間の消費電力量が算出され、算出された消費電力量が足し合わせられることにより、テナントＡにおける第２期間の消費電力量が算出される。
【００５８】
消費電力量算出部８４で算出されたテナントＡにおける第２期間の消費電力量は、表示部８５に表示されユーザに提供される（Ｓ１０）。
【００５９】
このように、本実施形態では、クライアント端末において要求があった場合に、対象となるテナントの指定された期間の消費電力量のみを算出するようにしているので、予めあらゆる期間ですべてのテナント毎の消費電力量を算出しておく場合に比べ、通常時の空調管理サーバ６０の処理負荷は大幅に軽減される。
【００６０】
また、すべての室外機の消費電力を計測する１つの電力量計４０を設けるのみで、個々の室外機に対してそれぞれ電力量計を設けることがないため、システム構成が簡素化してコストを低減することができる。
【００６１】
以上の本実施形態によれば、通常処理としては空調管理サーバで所定期間（例えば１ヶ月）ごとのバッチ処理で消費電力量按分演算を行う空調管理システムにおいて、空調管理サーバの負荷を抑えつつ、ユーザの操作により短時間（例えば１時間）ごとの消費電力量を各クライアント端末で確実に算出して可視化することにより、ユーザの省エネ意識を高めることができるようになる。
【００６２】
上述した実施形態において、情報取得要求が入力されたクライアント端末において、第２期間の消費電力量を逐次（例えば第２期間経過ごと）算出し、その変動状態を可視化することにより、さらにユーザにわかりやすく消費電力量の推移状態を提示するようにしてもよい。
【００６３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６４】
１…空調管理システム、１０…第１系統、１１、２１、３１…室外機
１３−１〜１３−４、２３−１〜２３−４、３３−１〜３３−４…室内機
４０…電力量計、６０…空調管理サーバ、６１…要求能力値取得部
６２…要求能力値記憶部、６３…消費電力量取得部
６４…消費電力量記憶部、６５…消費電力量按分演算部
６６…指定期間情報取得部、８０−１〜８０−３…クライアント端末
８１…入力部、８２…情報取得要求生成部、８３…指定期間情報受信部
８４…消費電力量算出部、８５…表示部
【図１】
2015227755.tif 000004
【図２】
2015227755.tif 000005
【図３】
2015227755.tif 000006
【図４】
2015227755.tif 000007